(57)【要約】【課題】部品収容箱等に複数のチャッキングプレートを収容した際に各チャッキングプレートが嵌合状態となる事態を回避する。【解決手段】円板状の主板２１と主板２１の外縁部に折り曲げ形成された円筒状の外側壁２２とを備え、ディスク回転機構によって吸引されることによって移動してディスク状記録媒体をディスク回転機構にチャッキングするチャッキングプレート９Ａであって、主板２１の半径方向における外向きに突出させられた凸部３１が外側壁２２に形成されている。【選択図】図５
2006323952.tif 000002
【特許請求の範囲】
【請求項１】
円板状の主板と当該主板の外縁部に折り曲げ形成された円筒状の外側壁とを備え、ディスク回転機構によって吸引されることによって移動してディスク状記録媒体を当該ディスク回転機構にチャッキングするチャッキングプレートであって、
前記主板の半径方向における外向きに突出させられた凸部と、前記半径方向における内向きに凹まされた凹部との少なくとも一方が前記外側壁に形成されているチャッキングプレート。
【請求項２】
前記外側壁は、前記主板から離間するほど大径となる向きのテーパ状に形成され、
前記凸部は、その突端部が前記外側壁における最大径の部位よりも外側に突出するように形成されている請求項１記載のチャッキングプレート。
【請求項３】
円板状の主板と当該主板の外縁部に折り曲げ形成された円筒状の外側壁とを備えると共に当該主板の中央部に当該外側壁の折り曲げ方向に向かって凹まされた円形凹部が形成され、ディスク回転機構によって吸引されることによって移動してディスク状記録媒体を当該ディスク回転機構にチャッキングするチャッキングプレートであって、
前記主板の半径方向における外向きに凹まされた凹部と、前記半径方向における内向きに突出させられた凸部との少なくとも一方が前記円形凹部の内側壁に形成されているチャッキングプレート。
【請求項４】
前記内側壁は、前記主板から離間するほど小径となる向きのテーパ状に形成され、
前記凸部は、その突端部が前記内側壁における最小径の部位よりも内側に突出するように形成されている請求項３記載のチャッキングプレート。
【発明の詳細な説明】
【技術分野】
【０００１】
本発明は、記録再生装置等のディスク回転機構によって吸引されることによって移動してディスク状記録媒体をディスク回転機構にチャッキングするチャッキングプレートに関するものである。
【背景技術】
【０００２】
この種のチャッキングプレートを備えたディスクカートリッジが特開２００３−９１９５５号公報に開示されている。このディスクカートリッジは、ディスク状記録媒体およびインナーロータ等がカートリッジ筐体（下シェルおよび上シェル）内に収容されて構成されている。また、このディスクカートリッジでは、記録再生装置におけるディスク回転機構（ターンテーブル）にディスク状記録媒体をチャッキングするためのチャッキングプレートがリング状のチャッキングプレート押さえ（以下、「押さえ」ともいう）によって上シェルの内面側に回動自在に取り付けられている。この場合、このチャッキングプレートは、磁性金属板をプレス加工することにより、円形状（円板状）の底面部と、円錐状（円筒状）の周壁部と、上記の押さえによって上シェルに取り付けるための円環状の鍔部とが一体形成されている。このディスクカートリッジでは、ディスク回転機構によってチャッキングプレートが磁気的に吸引されることによってチャッキングプレートが移動して、その底面部がディスク状記録媒体における中心孔の口縁部に当接してディスク記録媒体をディスク回転機構に向けて押圧する。これにより、ディスク状記録媒体がディスク回転機構にチャッキングされる。
【特許文献１】特開２００３−９１９５５号公報（第３−１２頁、図１−３３）
【発明の開示】
【発明が解決しようとする課題】
【０００３】
ところが、従来のチャッキングプレートには、以下の問題点がある。すなわち、このチャッキングプレートでは、その周壁部がテーパ状（円錐状）に形成されて、周壁部における鍔部側の内径よりも周壁部における底面部側の外径の方が小径となっている。したがって、ディスクカートリッジの製造に際して、組立て部品としての数多くのチャッキングプレートを部品収容箱等に収容した際に、図９に示すように、所定の１つのチャッキングプレートにおける周壁部の外面が、他の１つのチャッキングプレートにおける周壁部の内面に面的に接触するようにして複数のチャッキングプレートが嵌合した状態となることがある。この場合、プレス加工によって形成されるこの種のチャッキングプレートには、離型剤や洗浄油等の油脂が付着しているため、同図に示すように嵌合した状態では、各チャッキングプレートの接触部位が互いに完全に密着して引き剥がしが一層困難となる。このため、従来のチャッキングプレートには、プレス加工後の研磨加工（ばり取り）や上シェルへの取り付け等に際して、嵌合状態の複数のチャッキングプレートを引き剥がして別個に分離させる作業が非常に煩雑であるという問題点が存在する。
【０００４】
本発明は、かかる問題点に鑑みてなされたものであり、部品収容箱等に収容した際に各チャッキングプレートが嵌合状態となる事態を回避し得るチャッキングプレートを提供することを主目的とする。
【課題を解決するための手段】
【０００５】
上記目的を達成すべく本発明に係るチャッキングプレートは、円板状の主板と当該主板の外縁部に折り曲げ形成された円筒状の外側壁とを備え、ディスク回転機構によって吸引されることによって移動してディスク状記録媒体を当該ディスク回転機構にチャッキングするチャッキングプレートであって、前記主板の半径方向における外向きに突出させられた凸部と、前記半径方向における内向きに凹まされた凹部との少なくとも一方が前記外側壁に形成されている。なお、本明細書における「円板状の主板」には、その中央部に円形凹部や丸孔等が形成されている板体が含まれる。
【０００６】
また、本発明に係るチャッキングプレートは、前記主板から離間するほど大径となる向きのテーパ状に前記外側壁が形成されると共に、前記凸部の突端部が前記外側壁における最大径の部位よりも外側に突出するように形成されている。
【０００７】
また、本発明に係るチャッキングプレートは、円板状の主板と当該主板の外縁部に折り曲げ形成された円筒状の外側壁とを備えると共に当該主板の中央部に当該外側壁の折り曲げ方向に向かって凹まされた円形凹部が形成され、ディスク回転機構によって吸引されることによって移動してディスク状記録媒体を当該ディスク回転機構にチャッキングするチャッキングプレートであって、前記主板の半径方向における外向きに凹まされた凹部と、前記半径方向における内向きに突出させられた凸部との少なくとも一方が前記円形凹部の内側壁に形成されている。
【０００８】
また、本発明に係るチャッキングプレートは、前記主板から離間するほど小径となる向きのテーパ状に前記内側壁が形成されると共に、前記凸部の突端部が前記内側壁における最小径の部位よりも内側に突出するように形成されている。
【発明の効果】
【０００９】
本発明に係るチャッキングプレートによれば、主板の半径方向における外向きに突出させた凸部と、半径方向における内向きに凹ませた凹部との少なくとも一方を外側壁に形成したことにより、外側壁に凸部を形成した場合には、所定の１つのチャッキングプレートにおける主板を他の１つのチャッキングプレートにおける外側壁の内側（主板の裏側）に挿入するようにして嵌め込もうとしても、所定の１つのチャッキングプレートにおける凸部の上面が他の１つのチャッキングプレートにおける外側壁の端部（嵌め込み方向手前側の端部：主板とは反対側の端部）に当接して進入が阻止される。また、外側壁に凹部を形成した場合には、所定の１つのチャッキングプレートにおける主板を他の１つのチャッキングプレートにおける外側壁の内側（主板の裏側）に挿入するようにして嵌め込もうとしても、他の１つのチャッキングプレートにおける凹部の底面の裏面に所定の１つのチャッキングプレートにおける外側壁の端部（嵌め込み方向奥側の端部：主板側の端部）が当接して進入が阻止される。このため、凸部および凹部の少なくとも一方を外側壁に形成することで、組立て用部品としての数多くのチャッキングプレートを部品収容箱等に収容しておいたとしても、各チャッキングプレートを嵌合状態とすることなく、別個に分離させた状態を維持することができる。したがって、煩雑な引き剥がし作業を不要として、チャッキングプレートに対する研磨加工や、カートリッジケースまたはディスク状記録媒体への取り付け等を直ちに開始することができる。この結果、ディスクカートリッジ（情報記録媒体）の製造コストを低減することができる。
【００１０】
また、本発明に係るチャッキングプレートによれば、凸部の突端部を外側壁における最大径の部位よりも外側に突出させたことにより、凸部が外側壁における最大径の部位に確実に当接するため、各チャッキングプレートを別個に分離させた状態を確実に維持することができる。
【００１１】
さらに、本発明に係るチャッキングプレートによれば、主板の半径方向における内向きに突出させた凸部と、半径方向における外向きに凹ませた凹部との少なくとも一方を内側壁に形成したことにより、内側壁に凸部を形成した場合には、所定の１つのチャッキングプレートにおける主板を他の１つのチャッキングプレートにおける外側壁の内側（主板の裏側）に挿入するようにして嵌め込もうとしても、所定の１つのチャッキングプレートにおける凸部の上面が他の１つのチャッキングプレートにおける内側壁の端部（嵌め込み方向手前側の端部：円形凹部における底部側の端部）に当接して進入が阻止される。また、内側壁に凹部を形成した場合には、所定の１つのチャッキングプレートにおける主板を他の１つのチャッキングプレートにおける外側壁の内側（主板の裏側）に挿入するようにして嵌め込もうとしても、他の１つのチャッキングプレートにおける凹部の底面の裏面に所定の１つのチャッキングプレートにおける内側壁の端部（嵌め込み方向奥側の端部：主板側の端部）が当接して進入が阻止される。このため、組立て用部品としての数多くのチャッキングプレートを部品収容箱等に収容しておいたとしても、各チャッキングプレートを嵌合状態とすることなく、別個に分離させた状態を維持することができる。したがって、煩雑な引き剥がし作業を不要として、チャッキングプレートに対する研磨加工や、カートリッジケースまたはディスク状記録媒体への取り付け等を直ちに開始することができる。この結果、ディスクカートリッジ（情報記録媒体）の製造コストを低減することができる。
【００１２】
また、本発明に係るチャッキングプレートによれば、凸部の突端部を内側壁における最小径の部位よりも内側に突出させたことにより、凸部が内側壁における最小径の部位に確実に当接するため、各チャッキングプレートを別個に分離させた状態を確実に維持することができる。
【発明を実施するための最良の形態】
【００１３】
以下、添付図面を参照して、本発明に係るチャッキングプレートの最良の形態について説明する。
【００１４】
図１，２に示すディスクカートリッジ１は、各種記録データの記録および再生が可能に構成されたカートリッジ式の情報記録媒体であって、インナーロータ５、シャッタ部材６、ロック部材７、チャッキングプレート９Ａおよび光ディスク１０等がカートリッジ本体２内に収納されて構成されている。なお、図２では、本発明についての理解を容易とするために、その厚み方向のサイズを誇張して厚く図示している。この場合、光ディスク１０は、一例として、片面仕様の書き換え型のディスク状記録媒体であって、図２に示すように、その中心部には、記録再生装置にチャッキング（クランプ）させるための直径１５ｍｍ程度の中心孔１０ａが形成されている。この光ディスク１０は、後述するように、カートリッジ本体２に取り付けられたチャッキングプレート９Ａが記録再生装置におけるディスク回転機構（図示せず）によって下シェル３側に磁気的に引き寄せられる（吸引されて移動する）ことによってディスク回転機構にチャッキングされる。
【００１５】
一方、図１，２に示すように、カートリッジ本体２は、互いに嵌合可能に、つまり重ね合わせが可能に樹脂材料で射出成形された下シェル３および上シェル４を備えている。下シェル３は、一対の下シェル本体３ａ，３ｂを備えて構成されている。具体的には、図２に示すように、下シェル３（下シェル本体３ａ，３ｂ）は、底板１１ａと、底板１１ａの外縁部に立設されてカートリッジ本体２の側面部分を構成する側壁１１ｂと、カートリッジ本体２内にディスク収容部を形成する隔壁（図示せず）とを備えている。この下シェル３は、上シェル４に嵌合させた状態（上シェル４と一体化させた状態）において、両下シェル本体３ａ，３ｂにおける底板１１ａ，１１ａの間にディスクアクセス用開口部（以下、「開口部」ともいう）１２が形成されるように構成されている。この場合、開口部１２は、記録データの記録再生時において、カートリッジ本体２内の光ディスク１０に対するディスクアクセス（記録再生装置によるチャッキングや、光学ヘッドを介してのレーザービームの照射等）が可能となるようにその開口領域が規定され、一例として、下シェル３の一方の外縁部から中心部を挟んで対向する他方の外縁部に亘って形成されている。上シェル４は、天板１５ａと、天板１５ａの外縁部に立設されて下シェル３の側壁１１ｂと相俟ってカートリッジ本体２の側面部分を構成する側壁１５ｂと、下シェル３の隔壁と相俟ってカートリッジ本体２内にディスク収容部を形成する隔壁（図示せず）とを備えている。また、上シェル４の中央部には、取付け部材８によってチャッキングプレート９Ａが取り付けられている。
【００１６】
インナーロータ５は、図２に示すように、下シェル３の両下シェル本体３ａ，３ｂの間に形成される開口部１２とほぼ同じ幅の開口部５ａが形成された円板状の底板と、底板の外縁部に立設された側壁とで光ディスク１０を載置可能な浅皿状に形成され、図２に示すように、光ディスク１０と共にカートリッジ本体２内に回動可能に収容されている。また、インナーロータ５の側壁には、記録再生装置におけるシャッタ開閉手段（図示せず）が噛合可能な噛合用歯部（図示せず）が形成されている。このインナーロータ５は、ディスクカートリッジ１が記録再生装置から取り外されている状態においては、ロック部材７（図１参照）によってカートリッジ本体２に対する回動が規制されている。シャッタ部材６は、その一端部がインナーロータ５に軸支されると共に、その他端部側に下シェル３の凸部が挿通可能なスリット（図示せず）が形成されて、下シェル３とインナーロータ５との間に挟み込まれるようにしてカートリッジ本体２内に収容されている。このシャッタ部材６，６は、カートリッジ本体２に対してインナーロータ５が回動させられることによってインナーロータ５に対して回動させられて、開口部１２を閉塞する閉塞位置と、開口部１２を開口する開口位置との間をスライドさせられる。取付け部材８は樹脂材料によってリング状に射出成形され、図２に示すように、上シェル４に対してチャッキングプレート９Ａを回転可能に取り付ける。この場合、チャッキングプレート９Ａは、取付け部材８によって上シェル４の天板１５ａに対する接離方向で僅かに移動可能に取り付けられている。
【００１７】
チャッキングプレート９Ａは、磁性金属板（一例として、厚み０．３ｍｍ程度のステンレス板）をプレス加工することにより、図３〜５に示すように、全体として鍔付き帽子状に形成されている。具体的には、チャッキングプレート９Ａは、円板状の主板２１と、主板２１の外縁部に折り曲げ形成された円筒状の外側壁２２と、チャッキングプレート９Ａを取付け部材８によって上シェル４に取り付けるための鍔部２３とが一体形成されている。この場合、図５に示すように、外側壁２２は、主板２１から離間するほど大径となる向きのテーパ状に形成されている。また、図３〜５に示すように、この外側壁２２には、主板２１の半径方向における外向きに突出させられた凸部３１が形成されている。この場合、このチャッキングプレート９Ａでは、主板２１の中心Ｏ（図３参照）を挟んで対向するように２つの凸部３１，３１が外側壁２２に形成されている。また、このチャッキングプレート９Ａでは、主板２１の半径方向における外向きに突出させられた凸部３１の突端部３１ａが外側壁２２における最大径の部位（鍔部２３側の端部）よりも外側に突出するように形成されている。さらに、このチャッキングプレート９Ａでは、凸部３１の上面３２（主板２１の半径方向における外向きに突出させられている凸部３１における端面）が主板２１における外周部位と面一に形成されている。一方、主板２１の中央部には、ディスク回転機構における回転軸がチャッキングプレート９Ａに当接するのを回避するための円形凹部２４が形成されている。この場合、円形凹部２４の内側壁２５は、主板２１から離間するほど、つまり円形凹部２４の底部２６に接近するほど小径となる向きのテーパ状に形成されている。
【００１８】
このディスクカートリッジ１に採用されているチャッキングプレート９Ａでは、ディスクカートリッジ１の製造に際して、例えば、組立て部品としての数多くのチャッキングプレート９Ａ，９Ａ・・を部品収容箱等（図示せず）に収容した際に、各チャッキングプレート９Ａ，９Ａ・・が嵌合状態となることなく、個別に分離した状態が維持される。具体的には、例えば、所定の１つのチャッキングプレート９Ａにおける主板２１を他の１つのチャッキングプレート９Ａにおける外側壁２２の内側（鍔部２３の内側：主板２１の裏側）に裏面側から挿入するようにして嵌め込もうとしても、図５に示すように、所定の１つのチャッキングプレート９Ａにおける凸部３１の上面３２が他の１つのチャッキングプレート９Ａにおける外側壁２２の端部（本発明における「最大径の部位」の一例：この例では、鍔部２３側の端部）に当接して外側壁２２の内側への主板２１の進入が阻止される。この結果、従来のチャッキングプレートとは異なり、各チャッキングプレート９Ａ，９Ａ・・が収容箱内において嵌合状態となる事態が回避される。したがって、煩雑な引き剥がし作業を不要として、直ちに研磨加工（ばり取り）や上シェルへの取り付け等を実施することが可能となる。
【００１９】
一方、組み立てが完了したディスクカートリッジ１では、図１に示すように、記録再生装置から取り外されている状態のときには、下シェル３の開口部１２が、インナーロータ５とシャッタ部材６とによって閉塞されている。また、ディスクカートリッジ１を記録再生装置に装填した際には、ディスクカートリッジ１が記録再生装置によって矢印Ｉの向きで装置内部に引き込まれる。なお、同図では下シェル３を上向きした状態を図示しているが、実際の使用に際しては、上シェル４を上向きにした状態で記録再生装置に装填する。この際には、記録再生装置のシャッタ開閉手段によってインナーロータ５が回動させられ、これにより、シャッタ部材６がインナーロータ５に対して回転させられて開口部１２が開口される。これにより、光ディスク１０が露出して、カートリッジ本体２の外部からの光ディスク１０に対するディスクアクセスが可能な状態となる。次いで、記録再生装置のディスク回転機構（図示せず）によってチャッキングプレート９Ａが磁気的に引き寄せられて中心孔１０ａの口縁部（中心部領域）がチャッキングされる。具体的には、チャッキングプレート９Ａの主板２１が光ディスク１０における中心孔１０ａの口縁部に当接して光ディスク１０をディスク回転機構に向けて押圧してチャッキングする。続いて、ディスク回転機構が光ディスク１０を所定の回転速度で回転させる。この際に、光ディスク１０と共に回転させられるチャッキングプレート９Ａは、その中心Ｏを挟んで対向する位置に凸部３１，３１が形成されている。したがって、凸部３１の形成に起因してチャッキングプレート９Ａの回転バランス（中心Ｏを中心とする重量バランス）が崩れる事態が回避されている。この後、開口部１２を介してのレーザービームの照射（記録データの記録または再生）が実行される。
【００２０】
このように、このチャッキングプレート９Ａによれば、主板２１の半径方向における外向きに突出させた凸部３１を外側壁２２に形成したことにより、所定の１つのチャッキングプレート９Ａにおける主板２１を他の１つのチャッキングプレート９Ａにおける外側壁２２の内側（主板２１の裏側）に挿入するようにして嵌め込もうとしても、所定の１つのチャッキングプレート９Ａにおける凸部３１の上面３２が他の１つのチャッキングプレート９Ａにおける外側壁２２の端部（嵌め込み方向手前側の端部：この例では、鍔部２３側の端部）に当接して進入が阻止される。このため、組立て用部品としての数多くのチャッキングプレート９Ａ，９Ａ・・を部品収容箱等に収容しておいたとしても、各チャッキングプレート９Ａ，９Ａ・・を嵌合状態とすることなく、別個に分離させた状態を維持することができる。したがって、煩雑な引き剥がし作業を不要として、チャッキングプレート９Ａに対する研磨加工や上シェルへの取り付け等を直ちに開始することができる。この結果、ディスクカートリッジ１の製造コストを低減することができる。
【００２１】
また、このチャッキングプレート９Ａによれば、凸部３１の突端部３１ａを外側壁２２における最大径の部位（鍔部２３側の端部）よりも外側に突出させたことにより、凸部３１，３１が外側壁２２における最大径の部位に確実に当接するため、各チャッキングプレート９Ａ，９Ａ・・を別個に分離させた状態を確実に維持することができる。
【００２２】
なお、本発明は、上記した構成に限定されない。例えば、上記のチャッキングプレート９Ａでは、主板２１の半径方向における外向きに突出させた凸部３１，３１を外側壁２２に形成しているが、図６〜８に示すチャッキングプレート９Ｂのように、凸部３１，３１に代えて、主板２１の半径方向における内向きに凹ませた凹部４１，４１を外側壁２２に形成することもできる。なお、以下の説明においてチャッキングプレート９Ａと同様の構成要素については、同一の符号を付して重複する説明を省略する。このチャッキングプレート９Ｂでは、主板２１の中心Ｏ（図６参照）を挟んで対向するように２つの凹部４１，４１が外側壁２２に形成されている。また、このチャッキングプレート９Ｂでは、凹部４１の底面４２（主板２１の半径方向における内向きに凹まされている凹部４１における端面）が鍔部２３と面一に形成されている。
【００２３】
このチャッキングプレート９Ｂでは、前述したチャッキングプレート９Ａと同様にして、例えば、組立て部品としての数多くのチャッキングプレート９Ｂ，９Ｂ・・を部品収容箱等（図示せず）に収容した際に、各チャッキングプレート９Ｂ，９Ｂ・・を個別に分離させた状態が維持される。具体的には、例えば、所定の１つのチャッキングプレート９Ｂにおける主板２１を他の１つのチャッキングプレート９Ｂにおける外側壁２２の内側（鍔部２３の内側：主板２１の裏側）に裏面側から挿入するようにして嵌め込もうとしても、図８に示すように、他の１つのチャッキングプレート９Ｂにおける凹部４１の底面４２の裏面に所定の１つのチャッキングプレート９Ｂにおける外側壁２２の端部（この例では、主板２１側の端部）が当接して外側壁２２の内側への主板２１の進入が阻止される。この結果、前述したチャッキングプレート９Ａと同様にして、各チャッキングプレート９Ｂ，９Ｂ・・が収容箱内において嵌合状態となる事態が回避される。
【００２４】
このように、このチャッキングプレート９Ｂによれば、主板２１の半径方向における内向きに凹ませた凹部４１を外側壁２２に形成したことにより、所定の１つのチャッキングプレート９Ｂにおける主板２１を他の１つのチャッキングプレート９Ｂにおける外側壁２２の内側（主板２１の裏側）に挿入するようにして嵌め込もうとしても、他の１つのチャッキングプレート９Ｂにおける凹部４１の底面４２の裏面に所定の１つのチャッキングプレート９Ｂにおける外側壁２２の端部（嵌め込み方向奥側の端部：この例では、主板２１側の端部）が当接して進入が阻止される。このため、組立て用部品としての数多くのチャッキングプレート９Ｂ，９Ｂ・・を部品収容箱等に収容しておいたとしても、各チャッキングプレート９Ｂ，９Ｂ・・を嵌合状態とすることなく、別個に分離させた状態を維持することができる。したがって、煩雑な引き剥がし作業を不要として、チャッキングプレート９Ｂに対する研磨加工や上シェルへの取り付け等を直ちに開始することができる。この結果、ディスクカートリッジ１の製造コストを低減することができる。
【００２５】
また、前述したチャッキングプレート９Ａでは、主板２１の半径方向における外向きに突出させた凸部３１を外側壁２２に形成しているが、本発明はこれに限定されず、図３に破線で示すように、主板２１の半径方向における内向きに突出させた凸部３１を内側壁２５に形成することもできる。この場合、凸部３１の突端部３１ａを円形凹部２４における内側壁２５の最小径の部位（底部２６側の端部）よりも内側に突出させるのが好ましい。このように凸部３１，３１を内側壁２５に形成したチャッキングプレートでは、前述したチャッキングプレート９Ａと同様にして、所定の１つのチャッキングプレートにおける主板２１を他の１つのチャッキングプレートにおける外側壁２２の内側（主板２１の裏側）に挿入するようにして嵌め込もうとしても、所定の１つのチャッキングプレートにおける凸部３１の上面３２が他の１つのチャッキングプレートにおける内側壁２５の端部（嵌め込み方向手前側の端部：この例では、底部２６側の端部）に当接して進入が阻止される。このため、組立て用部品としての数多くのチャッキングプレートを部品収容箱等に収容しておいたとしても、各チャッキングプレートを嵌合状態とすることなく、別個に分離させた状態を維持することができる。したがって、煩雑な引き剥がし作業を不要として、チャッキングプレート対する研磨加工や上シェルへの取り付け等を直ちに開始することができる。この結果、ディスクカートリッジ１の製造コストを低減することができる。
【００２６】
さらに、前述したチャッキングプレート９Ｂでは、主板２１の半径方向における内向きに凹ませた凹部４１を外側壁２２に形成しているが、本発明はこれに限定されず、図６に破線で示すように、主板２１の半径方向における外向きに凹ませた凹部４１を内側壁２５に形成することもできる。このように凹部４１，４１を内側壁２５に形成したチャッキングプレートでは、前述したチャッキングプレート９Ｂと同様にして、所定の１つのチャッキングプレートにおける主板２１を他の１つのチャッキングプレートにおける外側壁２２の内側（主板２１の裏側）に挿入するようにして嵌め込もうとしても、他の１つのチャッキングプレートにおける凹部４１の底面４２の裏面に所定の１つのチャッキングプレートにおける内側壁２５の端部（嵌め込み方向奥側の端部：この例では、主板２１側の端部）が当接して進入が阻止される。このため、組立て用部品としての数多くのチャッキングプレートを部品収容箱等に収容しておいたとしても、各チャッキングプレートを嵌合状態とすることなく、別個に分離させた状態を維持することができる。したがって、煩雑な引き剥がし作業を不要として、チャッキングプレートに対する研工や上シェルへの取り付け等を直ちに開始することができる。この結果、ディスクカートリッジ１の製造コストを低減することができる。
【００２７】
また、上記のチャッキングプレート９Ａ，９Ｂ等では、中心Ｏを挟んで２つの凸部３１，３１や２つの凹部４１，４１を形成しているが、凸部３１や凹部４１の形成数はこれに限定されない。さらに、１つのチャッキングプレートに凸部３１および凹部４１の双方を形成することもできる。また、光ディスク１０とは別体に構成されたチャッキングプレート９Ａ，９Ｂ等を例に挙げて説明したが、本発明に係るチャッキングプレートには、光ディスク１０と一体化されたタイプのチャッキングプレートが含まれる。したがって、取付け部材８を介して上シェル４に取り付けるための鍔部２３は、本発明に係るチャッキングプレートにとって必須の構成要素ではなく、鍔部２３を備えていないチャッキングプレートに凸部３１および凹部４１の少なくとも一方を形成することもできる。さらに、上記のチャッキングプレート９Ａ，９Ｂにおける円形凹部２４についても本発明に係るチャッキングプレートにとって必須の構成要素ではなく、円形凹部２４に代えて丸孔を形成したチャッキングプレートや、円形凹部２４や丸孔を備えていない円板で主板２１を構成したチャッキングプレートが本発明に含まれる。
【００２８】
さらに、本発明におけるディスク状記録媒体としては、上記した書き換え型の光ディスク１０に限定されず、再生専用タイプの光ディスクや追記型の光ディスクなどの各種の光ディスク、および光磁気ディスクや磁気ディスクも含まれる。また、前述したディスクカートリッジ１では、別個独立した下シェル本体３ａ，３ｂを有する下シェル３を備えてカートリッジ本体２が構成されているが、図示しない連結部を介して下シェル本体３ａ，３ｂを一体的に連結した下シェルを採用してカートリッジ本体２を構成することもできる。さらに、ディスクアクセス用開口部の開口形状は、上記の例のようにカートリッジ本体２の前後方向に長い長方形形状に限定されるものではなく、カートリッジ本体の左右方向に長い長方形形状や、方形形状のカートリッジ本体における対角線方向に長い長方形形状であってもよい。また、ディスクカートリッジとしては、２つの光学ヘッドを同時に用いた記録再生が可能なタイプに限定されず、単一の光学ヘッドを用いた記録再生が可能なディスクアクセス用開口部が形成された下シェル（図示せす）を有するカートリッジ本体を備えて構成されたタイプのディスクカートリッジが含まれる。
【図面の簡単な説明】
【００２９】
【図１】ディスクカートリッジ１の外観斜視図である。
【図２】図１におけるＡ−Ａ線断面図である。
【図３】チャッキングプレート９Ａの平面図である。
【図４】チャッキングプレート９Ａにおける凸部３１近傍の外観斜視図である。
【図５】複数のチャッキングプレート９Ａ，９Ａ・・が積み重ねられた状態の断面図である。
【図６】チャッキングプレート９Ｂの平面図である。
【図７】チャッキングプレート９Ｂにおける凹部４１近傍の外観斜視図である。
【図８】複数のチャッキングプレート９Ｂ，９Ｂ・・が積み重ねられた状態の断面図である。
【図９】従来のチャッキングプレートが互いに嵌合した状態の断面図である。
【符号の説明】
【００３０】
１  ディスクカートリッジ
２  カートリッジ本体
４  上シェル
８  取付け部材
９Ａ，９Ｂ  チャッキングプレート
１０  光ディスク
１０ａ  中心孔
２１  主板
２２  外側壁
２３  鍔部
２４  円形凹部
２５  内側壁
２６  底部
３１  凸部
３１ａ  突端部
３２  上面
４１  凹部
４２  底面
【図１】
2006323952.tif 000003
【図２】
2006323952.tif 000004
【図３】
2006323952.tif 000005
【図４】
2006323952.tif 000006
【図５】
2006323952.tif 000007
【図６】
2006323952.tif 000008
【図７】
2006323952.tif 000009
【図８】
2006323952.tif 000010
【図９】
2006323952.tif 000011